(57)【特許請求の範囲】
【請求項１】
ダイヤルと、
前記ダイヤルを覆って、１つの頂点から外縁に向かって下る線形の稜線を有し、隣接する稜線同士の間で広がる三角形の平面を有する風防と
を備えることを特徴とする腕時計。
【請求項２】
請求項１に記載の腕時計において、前記頂点は針の支軸の延長線上に位置することを特徴とする腕時計。
【請求項３】
請求項１または２に記載の腕時計において、前記風防は、１２時の方向、３時の方向、６時の方向および９時の方向に、前記ダイヤルに投影される前記稜線の投影線を重ねるピラミッド形状に形成されることを特徴とする腕時計。
【請求項４】
請求項３に記載の腕時計において、前記風防は、前記投影線に対角線を重ねる正方形の輪郭を有することを特徴とする腕時計。
【発明の詳細な説明】
【技術分野】
【０００１】
本発明は腕時計に関する。
【背景技術】
【０００２】
特許文献１は腕時計を開示する。腕時計は風防を備える。風防には多面カットが施される。反射光の多様化に基づき装飾効果の向上が期待される。
【先行技術文献】
【特許文献】
【０００３】
【特許文献１】特開２００５−３０８７０２号公報
【発明の概要】
【発明が解決しようとする課題】
【０００４】
特許文献１に記載の腕時計では円形の風防の中央に平面域が形成され、平面域の周囲で風防の輪郭に沿って多面カットが施される。多面カットの部位ではダイヤルの視認性が落ちることから、インデックスは環状の多面カットの内側に配置されなければならない。したがって、時計ケースの大きさに比べてインデックスの配置や針の長さは縮小されてしまう。時間を知りたいときに視認性が落ちてしまう。しかも、特定の角度で風防に光が入射すると、いちどに平面域全体の視認性が光の反射に応じて悪化してしまう。針の位置を確認することができない。
【０００５】
本発明は、視認性を犠牲にせずに装飾効果を高めた腕時計を提供することを目的とする。
【課題を解決するための手段】
【０００６】
本発明の第１側面によれば、ダイヤルと、前記ダイヤルを覆って、１つの頂点から外縁に向かって下る線形の稜線を有し、隣接する稜線同士の間で広がる平面を有する風防を備える腕時計は提供される。
【０００７】
第２側面によれば、第１側面の構成に加えて、前記頂点は針の支軸の延長線上に位置する。
【０００８】
第３側面によれば、第１または第２側面の構成に加えて、前記風防は、１２時の方向、３時の方向、６時の方向および９時の方向に、前記ダイヤルに投影される前記稜線の投影線を重ねるピラミッド形状に形成される。
【０００９】
第４側面によれば、第３側面の構成に加えて、前記風防は、前記投影線に対角線を重ねる正方形の輪郭を有する。
【発明の効果】
【００１０】
第１側面によれば、個々の平面は頂点から放射状に広がり、風防全体で視認性は確保される。平面ごとに光の反射方向は相違することで、１つの平面で光の反射に応じて視認性が悪化しても、他の平面で針の位置は確認されることができる。しかも、光の反射が多様化することで、時計の装飾効果は高められる。
【００１１】
第２側面によれば、頂点は針の支軸の延長線上に位置する。風防の稜線は針を横切らないので、針の視認性は良好に維持される。針および稜線ともに支軸から放射状に延びることから、デザインの統一性が生み出され、風防の装飾効果は高められる。
【００１２】
第３側面によれば、稜線に応じてダイヤルは見やすい位置で４等分される。したがって、針の位置は簡単に特定されることができる。時刻は簡単に読み取られることができる。しかも、装飾効果は高められると同時に針の視認性は良好に維持される。
【００１３】
第４側面によれば、風防の輪郭に基づき１２時の方向、３時の方向、６時の方向および９時の方向は簡単に特定されることができる。針の位置は簡単に特定されることができる。時刻は簡単に読み取られることができる。
【図面の簡単な説明】
【００１４】
【図１】本発明の第１実施形態に係る腕時計を概略的に示す平面図である。
【図２】拡大部分斜視図である。
【図３】本発明の第２実施形態に係る腕時計を概略的に示す平面図である。
【発明を実施するための形態】
【００１５】
以下、添付図面を参照しつつ本発明の一実施形態を説明する。
【００１６】
図１は第１実施形態に係る腕時計１１を概略的に示す。腕時計１１はケース１２およびベルト１３ａ、１３ｂを備える。ベルト１３ａ、１３ｂはケース１２にラグ１４を介して連結される。ベルト１３ａにはバックル１５が連結される。バックル１５は一方のベルト１３ａに他方のベルト１３ｂを結合する。こうして結合されたベルト１３ａ、１３ｂでケース１２は使用者の腕に固定される。
【００１７】
ケース１２にはダイヤル１６を覆う風防１７が結合される。ダイヤル１６は正方形の輪郭を有する。正方形の１対角線１６ａはベルト１３ａ、１３ｂの中心線１８に重なる。ベルト１３ａ、１３ｂの中心線１８に沿って１２時の方向および６時の方向が規定される。バックル１５からベルト孔まで中心線１８の長さは手首周りの長さに相当する。
【００１８】
ダイヤル１６の中心（対角線の交点）には支軸１９が配置される。支軸１９には長針２１ａおよび短針２１ｂが固定される。長針２１ａおよび短針２１ｂは支軸１９からダイヤル１６の外縁に向かって線形に延びる。ダイヤル１６には支軸１９を中心に放射状にインデックス２２が固定される。
【００１９】
ダイヤル１６は例えば金属板やプラスチック板その他の板材から形成される。ダイヤル１６が透明な板材から形成されると、いわゆるスケルトン構造は確立されることができる。風防１７はガラスやプラスチックといった透明な材料から成形される。こうして風防１７は長針２１ａおよび短針２１ｂ並びにダイヤル１６に覆い被さって長針２１ａおよび短針２１ｂ並びにダイヤル１６を保護するとともに長針２１ａおよび短針２１ｂ並びにインデックス２２の視認を許容する。インデックス２２は時刻の読み取りを支援する。
【００２０】
支軸１９にはムーブメント（図示されず）が接続される。ムーブメントはダイヤル１６の背後でケース１２内に収容される。ムーブメントの働きで長針２１ａおよび短針２１ｂは支軸１９の軸心回りに回転する。
【００２１】
ダイヤル１６の周囲はベゼル２３で囲まれる。ベゼル２３に風防１７は嵌め込まれる。ベゼル２３にはリュウズ２４が取り付けられる。リュウズ２４の操作に応じて支軸１９の軸心回りで長針２１ｂの回転動作は引き起こされる。
【００２２】
図２に示されるように、風防１７は、１つの頂点２６から外縁に向かって下る線形の稜線２７ａ〜２７ｄを有する。隣接する稜線２７ａ〜２７ｄ同士の間にはそれぞれ１つの平面２８ａ〜２８ｄが広がる。風防１７の頂点２６は支軸１９の延長軸上に位置する。頂点２６は延長軸の軸内に配置されればよい。好ましくは、頂点２６は支軸１９の軸心上に位置することが望まれる。
【００２３】
稜線２７ａ〜２７ｄの投影線は１２時の方向、３時の方向、６時の方向および９時の方向にそれぞれ重なる。ここで、投影線は、支軸１９の軸心に平行にダイヤル１６に稜線２７ａ〜２７ｄを投影することで得られる。個々の平面２８ａ〜２８ｄは、稜線２７ａ〜２７ｄを等辺とする二等辺三角形の底辺上で風防１７の外縁を区画する。こうして風防１７は稜線２７ａ〜２７ｄを有するピラミッド形状に形成される。なお、ダイヤル１６や風防１７の輪郭は正方形といった多角形に形成されるものの、輪郭の角は曲線で丸められてもよく直線で面取りされてもよい。
【００２４】
前述のように、風防１７は、１つの頂点２６から外縁に向かって下る線形の稜線２７ａ〜２７ｄを有する。隣接する稜線２７ａ〜２７ｄ同士の間ではそれぞれ平面２８ａ〜２８ｄが広がる。個々の平面２８ａ〜２８ｄは頂点２６から放射状に広がり、風防１７全体で視認性は確保される。平面２８ａ〜２８ｄごとに光の反射方向は相違し、いずれか１つの平面で光の反射に応じて視認性が悪化しても、他の平面で長針２１ａや短針２１ｂの位置は確認されることができる。しかも、光の反射が多様化することで、腕時計１１の装飾効果は高められる。
【００２５】
頂点２６は長針２１ａおよび短針２１ｂの支軸１９の延長線上に位置する。風防１７の稜線２７ａ〜２７ｄは長針２１ａや短針２１ｂを横切らないので、長針２１ａや短針２１ｂの視認性は良好に維持される。長針２１ａおよび短針２１ｂ並びに稜線２７ａ〜２７ｄはともに支軸１９から放射状に延びることから、デザインの統一性が生み出され、風防の装飾効果は高められる。特に、頂点２６が支軸１９の軸心上に配置されると、支軸１９周りで、風防１７、ベゼル２３およびダイヤル１６に同心性が確立され、腕時計１１のデザイン性が強調されることができる。
【００２６】
風防１７は、１２時の方向、３時の方向、６時の方向および９時の方向に稜線２７ａ〜２７ｄの投影線を重ねるピラミッド形状に形成される。稜線２７ａ〜２７ｄに応じてダイヤル１６は見やすい位置で４等分される。したがって、長針２１ａおよび短針２１ｂの位置は簡単に特定されることができる。時刻は簡単に読み取られることができる。しかも、装飾効果は高められると同時に針の視認性は良好に維持される。
【００２７】
風防１７は、稜線２７ａ〜２７ｄの投影線に対角線を重ねる正方形の輪郭を有する。風防１７の輪郭に基づき１２時の方向、３時の方向、６時の方向および９時の方向は簡単に特定されることができる。長針２１ａおよび短針２１ｂの位置は簡単に特定されることができる。時刻は簡単に読み取られることができる。
【００２８】
図３は第２実施形態に係る腕時計３１を概略的に示す。ダイヤル１６は、長針２１ａおよび短針２１ｂの回転軸線上で中心線１８に４５度の角度で交差する対角線３２を有する正方形の輪郭を有する。したがって、正方形の２辺に平行に１２時の方向および６時の方向は規定される。風防１７は、正方形の対角線３２に重なる線形の稜線２７ａ〜２７ｄを有する。線形の稜線２７ａ〜２７ｄは回転軸線上の頂点２６から外縁に向かって下る。こうして風防１７は４つの稜線２７ａ〜２７ｄを有するピラミッド形状に形成される。
【符号の説明】
【００２９】
１１…腕時計、１６…ダイヤル、１６ａ…対角線、１７…風防、１９…支軸、２１ａ…針（長針）、２１ｂ…針（短針）、２６…頂点、２７ａ〜２７ｄ…稜線、２８ａ〜２８ｄ…平面、３１…腕時計。
【図１】
0006692683.tif 000002
【図２】
0006692683.tif 000003
【図３】
0006692683.tif 000004